(57)【特許請求の範囲】
【請求項１】
挿入検出される第１の媒体を取込み、内部に搬送可能な第１の媒体搬送路と、
該第１の媒体搬送路の上段側に設けられ、挿入ステージに沿って挿入され検出される第２の媒体を取込み、内部に搬送可能な第２の媒体搬送路と、
前記第１の媒体搬送路と前記第２の媒体搬送路の合流部との先に処理部を有する共通搬送路を設けておき、交互に処理される前記第１，第２の媒体をそれぞれ第１，第２の媒体搬送路から排出可能な媒体処理装置において、
前記第１，第２の媒体を処理する際に、前記第１の媒体の挿入検出前に前記第２の媒体挿入を検出したとき、該第２の媒体を前記第１の媒体の挿入操作の邪魔にならない位置まで吸入することを特徴とする媒体処理装置。
【請求項２】
請求項１記載の媒体処理装置において、
前記第１の媒体の挿入操作の邪魔にならない位置とは、本装置における許容最長媒体の後端と前記挿入ステージ端が略一致する位置、又は挿入された前記第２の媒体の後端が前記挿入検出部を通過した位置近傍の何れか一方とする媒体処理装置。
【請求項３】
請求項１記載の媒体処理装置において、
同一処理内で少なくとも前記第１の媒体を複数枚処理するとき、前記第２の媒体の排出は前記第１の媒体の挿入検出が行われるまで装置内部で待機させる媒体処理装置。
【発明の詳細な説明】
【０００１】
【発明の属する技術分野】
本発明は通帳や帳票および伝票等の処理媒体に対して、所定の位置に処理を行う媒体処理装置に関する。
【０００２】
【従来の技術】
金融機関で使用される通帳や伝票を処理（例えば印字）する媒体処理装置には特公平６−１５２５４号公報に示すようなものがある。上段に配した伝票の挿入口と下段に配した通帳の挿入口よりそれぞれ伝票と通帳が挿入される、通帳を取込み磁気ストライプの読取りを行った後、通帳は伝票の吸入の邪魔にならない位置に一旦退避させてから、伝票を吸入して印字ヘッドにより印字する。次に印字の完了した伝票を排出し、退避していた通帳を再度吸入して印字して磁気ストライプの書込みが行われて排出される。オペレータは排出された伝票と通帳を抜き取ることにより処理が完了する。
【０００３】
媒体処理装置による一部の取引において伝票１枚（集計票の場合など）に対して、複数枚の帳票（定期証書や定期積立カードなど）を処理する場合がある。本来であれば複数の取引として個別に処理すれば問題ないが、同じ伝票を複数回挿入して同様な処理を行うのは操作時間的かつ処理時間的に好ましくないので、「連続取引」として１処理（操作）を行っている。
【０００４】
【発明が解決しようとする課題】
このような媒体処理装置には次のような問題があった。媒体処理装置では上段側に伝票が挿入されるが、その伝票の縦長さによっては伝票の後端が伝票の挿入ステージより垂れ下がり、下段側の帳票挿入口を覆ってしまうことがあり、帳票の挿入操作の邪魔になっていた。また、連続取引時に先にその伝票が退避（排出）されると次の帳票を挿入する際にも挿入操作の邪魔になるという問題があった。本発明はこのような問題に対してなされたものであり、装置を大型化することなく帳票の挿入操作性を悪化させない媒体処理装置を提供することを目的とする。
【０００５】
【課題を解決するための手段】
第１の実施の形態では、挿入検出される第１の媒体を取込み内部に搬送可能な第１の媒体搬送路と、該第１の媒体搬送路の上段側に設けられ挿入ステージに沿って挿入され検出される第２の媒体を取込み、内部に搬送可能な第２の媒体搬送路と、第１の媒体搬送路と第２の媒体搬送路の合流部との先に処理部を有する共通搬送路を設けておき、交互に処理される第１，第２の媒体をそれぞれ第１，第２の媒体搬送路から排出可能な媒体処理装置において、第１の媒体の挿入検出前に第２の媒体挿入を検出したとき、本装置における許容最長媒体の後端と挿入ステージ端が略一致する位置、又は挿入された第２の媒体の後端が挿入検出部を通過した位置近傍の何れかの位置まで吸入する。第２の実施の形態では、同一処理（操作）内で少なくとも第１の媒体を複数枚処理するとき、第２の媒体の排出は２枚目の第１の媒体が挿入検出されるまで装置内で待機させる。
【０００６】
【発明の実施の形態】
本発明の第１の実施の形態を説明する。図１は本発明の媒体処理装置の媒体挿入部を示す概略側面図で、図２は媒体処理装置全体を示す概略側面図である。また、図３は媒体処理装置の制御ブロック図である。
【０００７】
１は媒体処理装置であり、第１の媒体である通帳２を下段に、第２の媒体である伝票３を上段側から挿入可能な構成である。４はプレッシャローラであり対向配置されているフィードローラ５と共に下側ガイド６ａ及び上側ガイド６ｂに設けられた穴部から第１の媒体搬送路（以後、通帳搬送路とする）７に突出可能に構成され、通帳挿入ステージ７ａから挿入される通帳２を挟持，圧接可能になっている。８はプレッシャローラであり対向配置されているフィードローラ９と共に第２の媒体搬送路（以後、伝票搬送路とする）１０に突出可能に構成され、伝票挿入ステージ１０ａに沿って挿入される伝票３を挟持,圧接可能になっている。
【０００８】
通帳搬送路７の上段に設けられた伝票搬送路１０は内部において合流している。その合流部１１には、図示しない駆動源によりシャフト１２ａを中心に回動して、搬送される通帳２又は伝票３を共通搬送路１３へと誘導するためのブレード１２がある。なお、本実施の形態では図示するように待機状態では通帳搬送路７と共通搬送路１３が接続されており、略一直線上になっている。
【０００９】
１４は挿入された通帳２に設けられた磁気ストライプの記録情報を処理する磁気ストライプリードライト部であり磁気ヘッド１４ａ（図示せず）などで構成される。１５は通帳２に設けられた頁マーク情報の読取処理などを行うページ・行読取センサである。１６はフィードローラ５，９の回転により印字位置まで搬送された通帳２又は伝票３に対して印字を行うための印字ヘッドである。１７は印字ヘッド１６に対向配置されたプラテンである。１８は改頁部であり、通帳２の印字頁に印字可能行がなくなった場合に頁捲りを行うためのものである。
【００１０】
１９は通帳ＬＦモータ（ＬＦ：ラインフィード）であり、前述したフィードローラ５を回転させる動力源である。２０は伝票ＬＦモータであり、前述したフィードローラ９を回転させる動力源である。２１は共通ＬＦモータであり、共通搬送路１３における媒体搬送の駆動源であり、通帳ＬＦモータ１９および伝票ＬＦモータ２０のいずれかと同期をとって駆動制御される。
【００１１】
この通帳ＬＦモータ１９、伝票ＬＦモータ２０および共通ＬＦモータ２１はステッピング駆動が可能なモータ（ステッピングモータ）であり、１ステップで１／２４０インチ（０．１０５８３ｍｍ）の搬送が可能なものとする。なお、以下の説明において通帳ＬＦモータ１９又は伝票ＬＦモータ２０の回転時には共通ＬＦモータ２１も同時に同方向に回転していることとして、共通ＬＦモータ２１の回転については記述を省略する。
【００１２】
フィードローラ５，９はフィードシャフト５ａ，９ａに固着され同心度や外径寸度が厳密に製造，管理されており通帳ＬＦモータ１９、伝票ＬＦモータ２０の回転量を制御することにより挟持した通帳２や伝票３の搬送量を管理できる。
【００１３】
２２は通帳クランプマグネットであり、励磁することによりフィードローラ５とプレッシャローラ４が圧接状態となる。通帳クランプマグネット２２の励磁が停止されると図示しないスプリングの張力によりプレッシャローラ４はフィードローラ５から離れ、上側ガイド６ｂより上方に戻る。
【００１４】
２３は伝票クランプマグネットであり、フィードローラ９と対向して配置されているプレッシャローラ８とで伝票２を挟持するもので、細部は通帳側と同一であるので説明を省略する。第１の実施の形態においては、磁気ストライプリードライト部１４、ページ・行読取センサ１５、印字ヘッド１６及びプラテン１７等で構成される印字機構及び改頁部１８などの詳細な説明も省略する。
【００１５】
ＳＥ１は通帳挿入検出センサであり、発光ダイオードと受光トランジスタを対向配置し構成された光学検出器で通帳搬送路７と直交する方向に光軸を透過させてある。この光軸を通帳２が遮断することにより生じる受光トランジスタの出力変動を利用してＯＮ／ＯＦＦ信号を得るものである。ＳＥ２は伝票挿入検出センサであり、図示するように伝票３の挿入を検出する光学検出器で、伝票搬送路１０と直交する方向に光軸を透過させてある。この光軸を伝票３が遮断することにより生じる受光トランジスタの出力変動を利用してＯＮ／ＯＦＦ信号を得ることができる。以下同様に位置検出センサＳＥ３が通帳搬送路７に媒体位置検出センサセ４が共通搬送路１３のプラテン１７近傍の図示する位置に設けてある。
【００１６】
２４はドライバ回路であり前述した各モータ１９，２０，２１及び各マグネット２２，２３の駆動回路である。２５はアンプ回路で通帳挿入検出センサＳＥ１や伝票挿入検出センサＳＥ２等の増幅回路であり、制御部２６が各信号を検知することにより制御部２６からドライバ回路２４に駆動指示が発信されるようにプログラムされている。また、２７は各種の動作制御プログラムが格納されたＲＯＭやＲＡＭなどで構成された記憶部である。
【００１７】
以上説明した各部の他に、キーボード部や表示部及び電源部や上位装置との接続口であるインターフェース部等を有するが省略する。なお、本媒体処理装置で使用可能な媒体サイズ（縦寸法、横寸法）は、最小サイズが縦８４ｍｍ，横１０５ｍｍで、最大サイズは縦２９７ｍｍ，横２１０ｍｍ（Ａ４版）として説明する。
【００１８】
本発明の媒体処理装置における媒体処理動作を図４に示す動作フローチャートと図５に示す媒体位置図により説明する。なお、Ｓは動作ステップを示し、本実施の形態では通帳２の代りに帳票２ａを処理することとして説明する。
【００１９】
係員は図示せぬキーボード部から帳票／伝票処理を指示入力すると、制御部２６は帳票２ａ，伝票３のセットを有効にする。続いて、通帳挿入ステージ７ａから帳票２ａが挿入されると、通帳挿入検出センサＳＥ１がこれを検出する。また、伝票３が挿入されると伝票挿入検出センサＳＥ２がこれを検出することになる（Ｓ１）。まず、伝票３が先に挿入された場合を説明する。
【００２０】
図５（ａ）に示すように伝票３が挿入され、制御部２６が伝票挿入検出センサＳＥ２の検出信号を得ると、伝票クランプマグネット２３を励磁してプレッシャローラ８を動作させて伝票３を挟持する（Ｓ２）。このクランプ動作後においても伝票挿入検出センサＳＥ２がＯＮ状態を維持していたら次ステップに進むが、ＯＦＦ状態となっていれば伝票クランプマグネット２３の励磁を中止して、プレッシャローラ８を開放させステップＳ１に戻る。
【００２１】
制御部２６は記憶部２７に記憶されている制御プログラムに従って、伝票ＬＦモータ２０の正回転を指示し、伝票３の吸入を開始する（Ｓ３）。なお、吸入に先立ってはブレード１２を回動させて共通搬送路１３への搬送ルートを構築しておく。この時の吸入動作は処理位置（印字位置など）に向って所定ステップ数の搬送量（Ｋ１）、即ち、図５（ｂ）に示すように最大縦長さの伝票（本実施の形態例では２９７ｍｍ）の後端が伝票挿入ステージ１０ａの端部（図示におけるＡで示す）に位置する量として設定されている（Ｓ４）。以上の動作により、少なくとも伝票３の後端は伝票挿入ステージ１０ａ上まで引き上げられる。
【００２２】
この吸入動作中に縦長さの短い伝票３は図５（ｃ）に示すように所定の搬送量（Ｋ１）の吸入途中に伝票挿入検出センサＳＥ２を通過してしまう場合がある（Ｓ５）。この時にはすでに伝票３の後端は伝票挿入ステージ１０ａ上に存在していないので、これ以上吸入する必要はなくなっている。ここで制御部２６は先に処理すべき媒体指示命令に従って処理順を判定する（Ｓ６）、伝票３の処理が先であれば搬送を中断することなく印字位置まで搬送する。印字位置制御に際しては伝票３の先端が媒体位置検出センサＳＥ４を通過（ＯＮ）した時点よりの搬送ステップ数の管理で行われる。
【００２３】
プラテン１７まで搬送された伝票３に対して、印字ヘッド１６による印字処理が行われる（Ｓ７）。ステップＳ６において、帳票２ａの処理が先である場合には伝票３の搬送は中止され、図５（ｂ），（ｃ）に示す位置にて待機させる（Ｓ８）。
図５（ｄ）に示すように帳票２ａが挿入されると通帳挿入検出センサＳＥ１がＯＮし（Ｓ９）、制御部２６はこの信号を受けて通帳クランプマグネット２２を励磁させて帳票２ａを挟持する（Ｓ１０）。ここで帳票２ａの吸入指示があると通帳ＬＦモータ１９を回転駆動して帳票２ａを処理部まで吸入することになるが、伝票３が先行して吸入されているため帳票２ａの処理に先立って、伝票３を伝票搬送路１０まで退避させる（Ｓ１１）。
【００２４】
制御部２６は伝票３が所定の排出位置まで搬送（退避）されると、直ちにブレード１２を開放させて通帳搬送路７と共通搬送路１３を結合させ通帳ＬＦモータ１９を回転駆動して帳票２ａをプラテン１７まで吸入する（Ｓ１２）。図５（ｅ）に示すようにプラテン１７まで搬送された帳票２ａに印字ヘッド１６により印字処理が行われる（Ｓ１３）。印字が終了した帳票２ａは通帳ＬＦモータ１９を逆方向回転により排出され（Ｓ１４）、通帳クランプマグネット２２が消磁されることにより帳票２ａは抜き取り可能となる。係員がこの帳票２ａを抜き取ると通帳挿入検出センサＳＥ１がＯＦＦして帳票２ａの処理が終了する。
【００２５】
ステップＳ１において、通帳挿入検出センサＳＥ１が先に帳票２ａを検出した場合を説明する。なお、帳票２ａと伝票３を同時に挿入することは無理な操作であり、現実的には不可能である。よって、この場合にはいずれにしても伝票３は「未挿入」と判断する。
【００２６】
制御部２６は通帳挿入検出センサＳＥ１の検出信号を得ると、通帳クランプマグネット２２を励磁してプレッシャローラ４を動作させて帳票２ａを挟持する（Ｓ１５）。このクランプ動作後においても通帳挿入検出センサＳＥ１がＯＮ状態を維持していたら次ステップに進むが、ＯＦＦ状態となっていれば通帳クランプマグネット２２の消磁しプレッシャローラ４を開放するのは伝票側と同一である。
【００２７】
ここで制御部２６は先に処理すべき媒体指示命令に従って処理順を判定する（Ｓ１６）、帳票２ａの処理が先であれば通帳ＬＦモータ１９を回転駆動して帳票２ａをプラテン１７まで吸入する（Ｓ１７）。印字位置制御に際しては帳票２ａの先端が媒体位置検出センサＳＥ４を通過（ＯＮ）した時点よりの搬送ステップ数の管理で行われるのは伝票印字と同一である（Ｓ１８）。印字が終了した帳票２ａは通帳ＬＦモータ１９の逆方向回転により排出され（Ｓ１９）、通帳クランプマグネット２２が消磁されることにより帳票２ａは抜き取り可能となる。
ステップＳ１６において、伝票３の処理が先であるとされたときには、前述したステップＳ１７，１８，１９を行わずに帳票２ａはプレッシャローラ４により挟持された状態のまま待機させる。
【００２８】
次に制御部２６は伝票挿入検出センサＳＥ２の検出信号を得ると（Ｓ２０）、伝票クランプマグネット２３を励磁してプレッシャローラ８を動作させて伝票３を挟持する（Ｓ２１）。続けて記憶部２７に記憶されている制御プログラムに従って、まずブレード１２を回動させて共通搬送路１３への搬送ルートを構築してから伝票ＬＦモータ２０の正回転を指示し、伝票３の吸入を開始する（Ｓ２２）。この時にはすでに帳票２ａは処理済み（ステップＳ１７〜Ｓ１９）又はクランプ済み（ステップＳ１５による）であるので例え最大縦長さの伝票（本実施の形態例では２９７ｍｍ）のであっても共通搬送路１３には帳票２ａが存在しないので問題ない。
【００２９】
印字位置制御に際しては伝票３の先端が媒体位置検出センサＳＥ４を通過（ＯＮ）した時点よりの搬送ステップ数の管理で行われ、プラテン１７まで搬送して印字ヘッド１６による印字処理が行われる（Ｓ２３）。印字処理が終了した伝票３は伝票ＬＦモータ２０を逆方向に回転させ排出される（Ｓ２４）。ここで帳票２ａが未処理（先に伝票を処理した場合）の時には（Ｓ２５）、ステップＳ１２に移行して帳票２ａの処理を行う。また帳票２ａも伝票３も処理済みのときには伝票クランプマグネット２３が消磁されることにより伝票３は抜き取り可能となり（Ｓ２６）、全ての処理が終了する。
【００３０】
印字部の配設位置によっては、先に吸入した伝票３を排出方向に搬送して印字を行わなければならない時がある。この状態では帳票２ａの挿入セット性が悪いので印字後に先に吸入した位置までの再吸入により装置内への退避を行うこともできる。
【００３１】
次に本発明の第２の実施の形態として応用例の説明を行う。第１の実施の形態のでは伝票及び帳票は各１枚での処理について説明したが、第２の実施の形態では、前述した「連続取引時」に帳票の複数枚処理を行う動作についてのである。図６は本発明の第２の実施の形態の動作フローチャートであり、図７はその動作工程における媒体位置図である。これらの図を用いて説明するが媒体処理装置としては第１の実施の形態で説明したものと同一である。
【００３２】
本処理の概要であるが、例えば毎月所定の金額を積み立てる取引において、渉外員が金銭とともに顧客から預った定期積立証書に金銭の受領処理（印字等）を行うもので、この時に複数の定期積立証書（以後、定積カード２ｂとする）に対応して単一の伝票に印字（例えば、集計票への印字）する場合である。
【００３３】
定積処理モードにおいて、係員が通帳挿入ステージ７ａから第１の定積カード２ｂを挿入すると、この第１の定積カード２ｂを磁気ストライプリードライト部１４まで搬送しする。磁気ストライプリードライト部１４では第１の定積カード２ｂの裏面に設けられた磁気ストライプ（図示せず）から磁気記録情報の読取りを行う。この読取りにより顧客の氏名を始め積立金額等の情報が得られる。磁気記録情報の読取りが行われると、その情報は図示せぬ上位装置に送信されて種々の確認が行われ、印字行情報（例えば３月分の入金処理であれば３月度の受領欄への印字）が返信されてくる。続けて、制御部２６は通帳ＬＦモータ１９を回転駆動により印字行位置がプラテン１７に達するまで搬送させて、印字ヘッド１６により印字処理（月日や金額などの印字）が行われることになる。
【００３４】
伝票３が挿入されると伝票挿入検出センサＳＥ２がこれを検出することになる。まず、制御部２６はこの検出信号を受けて伝票クランプマグネット２３を励磁させて伝票３を挟持する。制御部２６が伝票吸入指示を発信すれば、第１の定積カード２ｂを通帳搬送路５内のブレード１２が動作しても触れない通帳退避位置まで搬送して待機状態に入る。そして、ブレード１２を切換えて、伝票ＬＦモータ２０を駆動させて所定の印字行まで吸入搬送した伝票３に対して印字処理を行う。印字が終了すると伝票３はその位置にて待機させておく。
【００３５】
以降を図６のフローチャートに従って説明する。図７（ａ）に示すように通帳搬送路７で待機状態にある第１の定積カード２ｂを処理完了として排出する（Ｓ３１）。制御部２６は通帳挿入検出センサＳＥ１がＯＦＦし所定時間経過（例えば５００ｍｓ程度）後に同センサＳＥ１がＯＮ信号を発生したら第２の定積カード２ｂが挿入されたと判断する（Ｓ３２）。通帳挿入検出センサＳＥ１のＯＮ信号を受けて、図７（ｂ）に示すように第２の定積カード２ｂをプレッシャローラ４で挟持する（Ｓ３３）。続けて伝票ＬＦモータ２０を制御して装置内部にある伝票３を退避位置まで搬送する（Ｓ３４）。制御部２６は図７（ｃ）に示すように伝票３が所定の退避位置まで搬送されると、ブレード１２を開放させて通帳搬送路７と共通搬送路１３を結合させる。
【００３６】
第２の定積カード２ｂが挿入されると図７（ｄ）に示すように第１の定積カード２ｂ同様に処理が行われる（Ｓ３５）。印字が行われると第２の定積カード２ｂは排出され、続いて図７（ｅ）に示すように伝票搬送路１０に退避している伝票３を再吸入して印字することになる（Ｓ３６）。なお、第２の定積カード２ｂに対応する伝票３の印字行位置は言うまでもなく第１の定積カード２ｂに対する印字行と重ならない位置（一般的には次の印字行）となる。次ステップＳ３７において第３の定積カード２ｂの処理が有る場合にはステップＳ３２に戻る。ステップＳ３７において第３の定積カード２ｂの処理が不要であれば伝票３を排出しプレッシャローラ８による挟持を解除することにより処理が終了する（Ｓ３８）。
【００３７】
以上の説明で定積カード２ｂは磁気記録情報の読取りのみ行うこととしたが、これに限定されるものではなく、待機動作時に磁気記録情報の更新を行うことも可能であることは言うまでもない。更に連続処理可能な定積カード２ｂの枚数は伝票３の印字可能行数等の制約から２０〜５０枚程度が多いが、伝票３の印字行が無くなったら新しい伝票３の挿入（伝票繰越し）を行わせれば原則として無限回続けることができる。
【００３８】
【発明の効果】
以上、説明したように第2の媒体が挿入されるとその第2の媒体の後端が伝票挿入ステージの端部に達するまで搬送される。よって、縦長さの長い第2の媒体であっても通帳挿入ステージを隠すことがなくなり第１の媒体挿入が容易になる。また、連続取引においては下側に挿入される第１の媒体の抜き取りが行われ、次の第１の媒体が挿入されるまで第2の媒体が排出（待機位置までの搬送）されてこないので、次の第１の媒体のセット性を悪化させないという効果を奏する。
【図面の簡単な説明】
【図１】本発明の媒体処理装置の媒体挿入部を示す概略側面図である。
【図２】本発明の媒体処理装置全体を示す概略側面図である。
【図３】本発明の媒体処理装置の制御ブロック図である。
【図４】本発明の動作フローチャートである。
【図５】本発明の媒体位置図である。
【図６】本発明の第２の実施の形態の動作フローチャートである。
【図７】本発明の第２の実施の形態における媒体位置図である。
【符号の説明】
１  媒体処理装置
２  第１の媒体（通帳）
２ａ  第１の媒体（帳票）
２ｂ  第１の媒体（定積カード）
３  第２の媒体（伝票）
７  第１の媒体搬送路（通帳搬送路）
７ａ  通帳挿入ステージ
１０  第２の媒体搬送路（伝票搬送路）
１０ａ  伝票挿入ステージ
１１  合流部
１３  共通搬送路
１９  通帳ＬＦモータ
２０  伝票ＬＦモータ
２１  共通ＬＦモータ
２２  通帳クランプマグネット
２３  伝票クランプマグネット
ＳＥ１  通帳挿入検出センサ
ＳＥ２  伝票挿入検出センサ
【図１】
0004092876.tif 000002
【図２】
0004092876.tif 000003
【図３】
0004092876.tif 000004
【図４】
0004092876.tif 000005
【図５】
0004092876.tif 000006
【図６】
0004092876.tif 000007
【図７】
0004092876.tif 000008